(57)【要約】【課題】車両のセキュリティ用の表示をする発光体の発光を見えやすくする。【解決手段】車両のセキュリティ用の表示をする発光ダイオード１５（発光体）を、車両の運転席前方であって近傍のサイドウインド側に具えられた操作レバー１０の先端部に設けた。これにより、車両の盗難に関して、車両の運転席側のサイドウインドから車内を見ることが一般的な盗人に対し、発光ダイオード１５の発光を見えやすくできるものであり、かくして、車両の盗難防止の効果も上がる。【選択図】図１
2008040872.tif 000002
【特許請求の範囲】
【請求項１】
発光体の発光により車両のセキュリティ用の表示をするものにおいて、
その発光体を、車両の運転席前方であって近傍のサイドウィンド側に具えられた操作レバーの先端部に設けたことを特徴とする車両のセキュリティ用表示装置。
【発明の詳細な説明】
【技術分野】
【０００１】
本発明は、発光体の発光により車両のセキュリティ用の表示をする車両のセキュリティ用表示装置に関する。
【背景技術】
【０００２】
従来より、車両、特に自動車においては、セキュリティ装置（盗難防止装置）を具えたものが供されている。このものにおいては、更に、セキュリティ用の表示を発光体の発光によりするようにしたものが供されており、具体的には、例えば車両のイグニッションスイッチをオフにしたときに、セキュリティ装置が機能し始めることと合わせ、発光ダイオードを点滅させることにより、セキュリティ装置が機能していることを表示するようにしたものが供されている。
【０００３】
しかして、そのものの場合、発光ダイオード（発光体）は、車両のインストルメントパネルの前面部や上面部、又はインストルメントパネルに存在するメータの内部に設けられている。
なお、本発明が解決しようとする課題に対応するような公知文献は発見できなかった。
【発明の開示】
【発明が解決しようとする課題】
【０００４】
車両の盗難は、車両の運転席側のサイドウィンドから盗人が車内を見ることによって起きるのが一般的とされている。これに対して、上記従来の、車両のセキュリティ用の表示をする発光ダイオード（発光体）が車両のインストルメントパネルの前面部や上面部、又はインストルメントパネルに存在するメータの内部に設けられているものは、いずれも、発光ダイオードの位置が遠く、又は陰となるところに位置しており、よって、車両の運転席側のサイドウインドにかなり近付いて覗き込まなければ発光体の発光が見えないなど、発光体の発光が見えにくいものであった。
【０００５】
本発明は上述の事情に鑑みてなされたものであり、従ってその目的は、発光体の発光を見えやすくできる車両のセキュリティ用表示装置を提供するにある。
【課題を解決するための手段】
【０００６】
上記目的を達成するために、本発明の車両のセキュリティ用表示装置は、発光体の発光により車両のセキュリティ用の表示をするものにおいて、その発光体を、車両の運転席前方であって近傍のサイドウインド側に具えられた操作レバーの先端部に設けたことを特徴とする。
【発明の効果】
【０００７】
前述のように、車両の盗難は、車両の運転席側のサイドウインドから盗人が車内を見ることによって起きるのが一般的とされている。これに対して、上述のように、車両のセキュリティ用の表示をする発光体を、車両の運転席前方であって近傍のサイドウインド側に具えられた操作レバーの先端部に設けたものでは、その発光を車両の運転席側のサイドウインドを通して盗人から見えやすくできる。よって、車両の盗難防止の効果も上がる。
【発明を実施するための最良の形態】
【０００８】
以下、本発明の一実施例（一実施形態）につき、図面を参照して説明する。
まず、図３には、車両、特には自動車の運転席Ａ周りを示しており、この場合、運転席Ａは右側にあり、その前方にステアリングホイール１を有している。又、ステアリングホイール１の前方にはレバースイッチ装置２を有し、更にその前方に、各種メータ３を具えるインストルメントパネル４を有している。そして、インストルメントパネル４の前方にはフロントウインド５が存在し、運転席Ａの右側に右サイドウインド６が、助手席Ｂの左側に左サイドウインド７がそれぞれ存在している。
【０００９】
図１は、上記レバースイッチ装置２を単独に示しており、スイッチボデー８から左右の両側方に操作レバー９，１０を突出させている。この両操作レバー９，１０のうち、左側の操作レバー９は、この場合、自動車のワイパ関係のコントロールをするもので、スイッチボデー８から下方へ回動操作可能に設けており、先端部に操作ノブ１１，１２を具えている。
【００１０】
これに対して、右側の操作レバー１０は、この場合、自動車のウインカとライト類のコントロールをするもので、スイッチボデー８から上下の両方向に回動操作可能に設けており、先端部に操作ノブ１３，１４を具えている。そして、この右側の操作レバー１０は、自動車の前記運転席Ａの前方であって近傍の右サイドウィンド６側に具えられたものであり、この右側の操作レバー１０の先端部である操作ノブ１４の端面部には、自動車のセキュリティ用の表示をする発光体、この場合、発光ダイオード１５を設けている。
【００１１】
詳細には、図２に示すように、操作ノブ１４の端面部に孔１６を形成し、操作ノブ１４の内部に発光ダイオード１５を実装した回路基板１７を組み込んで、発光ダイオード１５を孔１６に挿入し、操作ノブ１４の外部に臨ませている。
なお、操作ノブ１４を含む操作レバー１０の内部には、そのほか、パイプ１８を組み込んでいて、これの内部に回路基板１７に接続したリード線１９を通し、パイプ１８外に節度プレート２０及び節度ピース２１等を配設して、操作ノブ１４の操作回動に節度を与えるようにしている。
【００１２】
さて、上述のごとく構成したものの場合、発光ダイオード１５は自動車のセキュリティ用の表示をするものであり、具体的には、既述のように、例えば自動車のイグニッションスイッチをオフにしたときに、図示しないセキュリティ装置が機能し始めることと合わせ、発光ダイオード１５が点滅することで、セキュリティ装置が機能していることを表示するようになっている。
【００１３】
この発光ダイオード１５を、本構成のものでは、自動車の運転席Ａの前方であって近傍のサイドウインドである右サイドウインド６側に具えられた右側の操作レバー１０の先端部に設けている。これにより、自動車の盗難に関して、自動車の運転席Ａ側のサイドウインドから車内を見ることが一般的な盗人に対し、発光ダイオード１５の発光を見えやすくできるものであり、かくして、車両の盗難防止の効果も上がる。
【００１４】
又、操作レバー９，１０は、それぞれ先端部に操作ノブ１１，１２、１３，１４を具えるもので、それらの操作に応動する電気部品や部品ガイド等を内蔵しており（図示省略）、それらを発光ダイオード１５の給電に利用するようにして組み立てることもできるので、合理的に構成することができる。
【００１５】
なお、発光ダイオード１５（発光体）は、操作レバー１０の先端部に設ければ良いもので、端面部に限られず、周側面部の上側等に設けるようにしても良い。又、発光ダイオード１５（発光体）を先端部に設ける操作レバーは、運転席Ａが左側にある車両では、左サイドウインド７が近傍に位置する左側の操作レバー９とすれば良い。更に、発光ダイオード１５（発光体）は、車両に具えられたセキュリティ装置が機能していることを表示するものに限られず、車両にセキュリティ装置が具えられていないもので、単に発光ダイオード１５（発光体）が発光（点滅）するだけであっても良い。
そのほか、本発明は上記し且つ図面に示した実施例にのみ限定されるものではなく、要旨を逸脱しない範囲内で適宜変更して実施し得る。
【図面の簡単な説明】
【００１６】
【図１】本発明の一実施例を示すレバースイッチ装置の正面図
【図２】発光体を設けた操作レバーの破断正面図
【図３】自動車の運転席周りの正面図
【符号の説明】
【００１７】
図面中、６は右サイドウインド、７は左サイドウインド、９，１０は操作レバー、１５は発光ダイオード（発光体）を示す。
【図１】
2008040872.tif 000003
【図２】
2008040872.tif 000004
【図３】
2008040872.tif 000005